(57)【要約】      （修正有）【課題】ユーザの視覚上の動きの改善を図るようにする。【解決手段】フレーム番号k（kはn-3乃至n+2）について、シャッタ開放時間Tskの間にカメラに入射された映像情報が時間積分されると、フレーム映像データが得られる。これらのフレーム映像データの集合体である記録データ系列が表示対象となった場合、フレーム周期Tfにおいて、フレームkの表示時間Tikをシャッタ開放時間Tskに対応させた時間とし、残りの時間Tmkでは暗映像を表示させる表示制御が行われる。本発明は、液晶ディスプレイ等の表示制御を行う画像処理装置に適用可能である。【選択図】図３
2008298918.tif 000002
【特許請求の範囲】
【請求項１】
各々のサンプリング時間の間に被写体の映像情報を積分した結果得られる情報を単位画像情報として、複数の前記単位画像情報から構成される動画像情報に対して画像処理を施す画像処理装置において、
前記動画像情報の表示の制御として、複数の前記単位画像情報のそれぞれについて、所定の周期時間毎に表示を開始させ、その表示時間を前記サンプリング時間に基づいて変更する制御を行う表示制御回路
を備える画像処理装置。
【請求項２】
前記表示制御回路は、さらに、制御対象の前記単位画像情報の表示時間に基づいて、その単位画像情報の表示時の輝度を制御する
請求項１に記載の画像処理装置。
【請求項３】
前記表示制御回路は、前記単位画像情報の表示時間に反比例させたレベルの輝度に補正をする制御を行う
請求項２に記載の画像処理装置。
【請求項４】
前記表示制御回路は、制御対象の前記単位画像情報の表示時間を、前記サンプリング時間と一致させる制御を行う
請求項１に記載の画像処理装置。
【請求項５】
前記表示制御回路は、前記複数の単位画像情報の表示時間の全てを、前記サンプリング時間に基づいて可変設定される所定の固定時間と一致させる制御を行う
請求項１に記載の画像処理装置。
【請求項６】
前記動画像情報は、前記複数の単位画像情報のそれぞれについての前記サンプリング時間を特定する特定情報を含んでおり、
前記表示制御回路は、制御対象の前記単位画像情報の表示時間を、前記特定情報から特定した前記サンプリング時間に基づいて変更する制御を行う
請求項１に記載の画像処理装置。
【請求項７】
前記表示制御回路は、さらに、制御対象の前記単位画像情報の前記サンプリング時間を推定し、その推定結果に基づいて、その単位画像情報の表示時間を変更する制御を行う
請求項１に記載の画像処理装置。
【請求項８】
前記表示制御回路は、さらに、制御対象の前記単位画像情報の表示時間の経過後、次の単位画像情報の表示を開始するまでの間、暗画像の表示または表示自体の禁止の制御を行う
請求項１に記載の画像処理装置。
【請求項９】
電気的な映像駆動信号に基づいて映像を表示する表示装置によって、前記動画像情報が表示され、
前記表示制御回路は、前記表示装置に与える前記映像駆動信号を制御することで、制御対象の前記単位画像情報の表示時間と、前記暗画像の表示または表示自体の禁止を行う時間とを制御する
請求項８に記載の画像処理装置。
【請求項１０】
レンズを介して映像を投射する表示装置によって、前記動画像情報が表示され、
前記表示制御回路は、前記レンズの開放を制御することで、制御対象の前記単位画像情報の表示時間と、前記暗画像の表示または表示自体の禁止を行う時間とを制御する
請求項８に記載の画像処理装置。
【請求項１１】
各々のサンプリング時間の間に被写体の映像情報を積分した結果得られる情報を単位画像情報として、複数の前記単位画像情報から構成される動画像情報に対して画像処理を施す画像処理装置の画像処理方法において、
前記動画像情報の表示の制御として、複数の前記単位画像情報のそれぞれについて、所定の周期時間毎に表示を開始させ、その表示時間を前記サンプリング時間に基づいて変更する制御を行う
ステップを含む画像処理方法。
【請求項１２】
各々のサンプリング時間の間に被写体の映像情報を積分した結果得られる情報を単位画像情報として、複数の前記単位画像情報から構成される動画像情報に対して画像処理を施すコンピュータに、
前記動画像情報の表示の制御として、複数の前記単位画像情報のそれぞれについて、所定の周期時間毎に表示を開始させ、その表示時間を前記サンプリング時間に基づいて変更する制御を行う
ステップを実行させるプログラム。
【発明の詳細な説明】
【技術分野】
【０００１】
本発明は、画像処理装置および方法並びにプログラムに関し、特に、中間画像の補間技術を伴わずに、ユーザの視覚上の動きの改善を図ることができるようになった画像処理装置および方法並びにプログラムに関する。
【背景技術】
【０００２】
近年、液晶型表示装置の普及が著しい（例えば特許文献１参照）。しかしながら、液晶型表示装置が、フレームレートのあまり高くない映像、例えば映画等を表示した場合、ユーザの視覚上の動きが悪くなるといった問題が生ずる。「ユーザの視覚上の動き」とは、液晶型表示装置等に「動き」のある映像が表示された場合、ユーザが「動き」として視認したものを意味する。即ち、かかる問題とは、「動き」のあるシーンが表示された場合、ユーザは、カクカクと離散的な「動き」であると視認することもある、といった問題が生ずることになる。
【０００３】
そこで、この問題を解決する場合、従来においては、フレームとフレームとの間の中間の画像を補間して挿入し、フレームレートを上げるなどして滑らかな動きを実現する、といった技術が従来採用されている。
【特許文献１】特開２００１−１１８３９６号公報
【発明の開示】
【発明が解決しようとする課題】
【０００４】
しかしながら、補間画像とは、その補間するタイミングでの映像を推定することによって作成した画像であって、実際のものとは異なる画像である。このことは、オリジナルの映像信号を加工すること、即ち、映画制作者等の映像の製作者が意図していない映像情報を挿入することを意味し、必ずしも好ましいことではない。
【０００５】
本発明は、このような状況に鑑みてなされたものであり、中間画像の補間技術を伴わずに、ユーザの視覚上の動きの改善を図るようにするものである。
【課題を解決するための手段】
【０００６】
本発明の一側面の画像処理装置は、各々のサンプリング時間の間に被写体の映像情報を積分した結果得られる情報を単位画像情報として、複数の前記単位画像情報から構成される動画像情報に対して画像処理を施す画像処理装置であって、前記動画像情報の表示の制御として、複数の前記単位画像情報のそれぞれについて、所定の周期時間毎に表示を開始させ、その表示時間を前記サンプリング時間に基づいて変更する制御を行う表示制御回路を備える。
【０００７】
前記表示制御回路は、さらに、制御対象の前記単位画像情報の表示時間に基づいて、その単位画像情報の表示時の輝度を制御する。
【０００８】
前記表示回路は、前記単位画像情報の表示時間に反比例させたレベルの輝度に補正をする制御を行う。
【０００９】
前記表示制御回路は、制御対象の前記単位画像情報の表示時間を、前記サンプリング時間と一致させる制御を行う。
【００１０】
前記表示制御回路は、前記複数の単位画像情報の表示時間の全てを、前記サンプリング時間に基づいて可変設定される所定の固定時間と一致させる制御を行う。
【００１１】
前記動画像情報は、前記複数の単位画像情報のそれぞれについての前記サンプリング時間を特定する特定情報を含んでおり、前記表示制御回路は、制御対象の前記単位画像情報の表示時間を、前記特定情報から特定した前記サンプリング時間に基づいて変更する制御を行う。
【００１２】
前記表示制御回路は、さらに、制御対象の前記単位画像情報の前記サンプリング時間を推定し、その推定結果に基づいて、その単位画像情報の表示時間を変更する制御を行う。
【００１３】
前記表示制御回路は、さらに、制御対象の前記単位画像情報の表示時間の経過後、次の単位画像情報の表示を開始するまでの間、暗画像の表示または表示自体の禁止の制御を行う。
【００１４】
電気的な映像駆動信号に基づいて映像を表示する表示装置によって、前記動画像情報が表示され、前記表示制御回路は、前記表示装置に与える前記映像駆動信号を制御することで、制御対象の前記単位画像情報の表示時間と、前記暗画像の表示または表示自体の禁止を行う時間とを制御する。
【００１５】
レンズを介して映像を投射する表示装置によって、前記動画像情報が表示され、前記表示制御回路は、前記レンズの開放を制御することで、制御対象の前記単位画像情報の表示時間と、前記暗画像の表示または表示自体の禁止を行う時間とを制御する。
【００１６】
本発明の一側面の画像処理方法およびプログラムは、上述した本発明の一側面の画像処理装置に対応する方法およびプログラムである。
【００１７】
本発明の一側面の画像処理装置および方法並びにプログラムにおいては、各々のサンプリング時間の間に被写体の映像情報を積分した結果得られる情報を単位画像情報として、複数の前記単位画像情報から構成される動画像情報に対して、次のような画像処理が施される。即ち、前記動画像情報の表示の制御として、複数の前記単位画像情報のそれぞれについて、所定の周期時間毎に表示を開始させ、その表示時間を前記サンプリング時間に基づいて変更する制御が行われる。
【発明の効果】
【００１８】
以上のごとく、本発明によれば、ホールド型表示装置等の表示制御を実現できる。特に、中間画像の補間技術を伴わずに、ホールド型表示装置等におけるユーザの視覚上の動きの改善を図ることができるようになる。
【発明を実施するための最良の形態】
【００１９】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２１】
本発明の一側面の画像処理装置（例えば図８の画像処理装置１１や図１２の画像処理装置５１）は、
各々のサンプリング時間（例えば図３の上側図の各シャッタ開放時間Tsk。なお、ｋはフレーム番号n-3乃至n+2のうちの何れかを示す）の間に被写体の映像情報を積分した結果得られる情報（例えば、図３の中央図のフレーム映像データ）を単位画像情報として、複数の前記単位画像情報から構成される動画像情報（例えば図３の中央図の記録データ系列）に対して画像処理を施す画像処理装置において、
前記動画像情報の表示の制御として、複数の前記単位画像情報のそれぞれについて、所定の周期時間（例えば図３の下側図のフレーム周期Tf）毎に表示を開始させ、その表示時間を前記サンプリング時間に基づいて変更する（例えば、図３の下側図の表示時間Tik参照）制御を行う表示制御回路（例えば図８の暗映像挿入制御部２１や図１２の暗区間挿入制御部６２等）
を備える。
【００２２】
ここで、図１乃至図４を参照して、本発明が適用される手法の概略について先ず説明する。
【００２３】
［発明が解決しようとする課題］の欄で上述したように、従来、「動き」のあるシーンが表示されている場合、その「動き」はカクカクぎこちない動きとしてユーザに視認されてしまう場合があるという問題点が生じている。
【００２４】
ただし、かかる問題点は、フラットパネルディスプレイ等の液晶型表示装置で生ずることは認められるが、旧来のブラウン管型ディスプレイ等で生じていたという印象が薄い、という事実を本発明人は発見した。そして、本発明人は、かかる事実に基づいて、上述した問題点の発生要因を突き止め、その発生要因を除外すべく、即ち、上述した問題点を解決すべく本発明をした。
【００２５】
このような経緯を通じてされた本発明の理解を容易なものとすべく、先ず初めに、液晶型表示装置と、旧来のブラウン管型ディスプレイ、即ち、CRT（Cathode Ray Tub）との違いの概略について説明する。
【００２６】
なお、液晶型表示装置やCRT等の表示装置の処理単位は、フレームやフィールドといった様々な処理単位が採用可能であるが、以下、説明の簡略上、フレームが採用されているものとする。勿論、以下の説明文章に登場する「フレーム」という語句を「フィールド」等の他の処理単位を示す語句に置き換えることで、「フィールド」等の他の処理単位についても以下の説明内容が基本的にあてはまることは言うまでも無い。
【００２７】
CRTは、動画像を構成する複数のフレームのうちの所定の１つの表示が指示されると、内蔵する電子銃を、CRTの画面を構成する複数の水平ライン（走査線）のそれぞれに沿って順次走査させることで、指示されたフレームを画面に表示させる。
【００２８】
ここで、表示が指示されたフレーム（以下、表示対象フレームと称する）とは複数の画素から構成されている。そこで、画素単位でみると、表示対象フレーム内の所定位置に配置される画素は、時間方向において、電子銃がその所定位置に走査して来た瞬間に表示されること、即ち、インパルス状に表示されることになる。なお、以下、このようなCRTと同様の表示方式を採用する表示装置を総称して、インパルス型表示装置と称する。
【００２９】
このようなインパルス型表示装置に対して、液晶型表示装置は、表示対象フレームの表示指示から次のフレームの表示指示までの期間、その画面を構成する全ての液晶の表示を保持させることで、表示対象フレームを画面に表示させる。
【００３０】
詳細には、例えば、１つの液晶に、１つの画素が対応付けられているとする。この場合、表示対象フレームの表示指示として、例えば、表示対象フレームを構成する各画素の画素値による指示が採用できる。この場合、液晶型表示装置は、その画面を構成する各液晶（各画素）のそれぞれに対して、指示された画素値に対応する電圧を印加する。すると、各液晶は、印加電圧値に応じた光レベルで発光する。その後、少なくとも次のフレームの表示指示までの間、各液晶の印加電圧値が一定に保持され続けるので、各液晶は一定の光レベルで発光し続けることになる。その結果、各液晶には、指示された画素値を有する画素が表示され続ける。
【００３１】
その後、所定のフレーム周期に相当する期間が経過すると、次のフレームが新たな表示対象フレームとなり、その表示指示がなされることになる。この場合、所定画素の画素値が変更されるときには、その所定画素に対応する液晶には、変更後の画素値に対応する電圧が印加されるので、即ち、印加電圧値が変化するので、その結果、液晶が発光する光レベルも変化することになる。
【００３２】
このように、液晶型表示装置は、CRT等のインパルス型表示装置とは異なる表示方式を採用しているので、インパルス型表示装置に比較して、設置スペースが少なくて済む、消費電力が少ない、歪みが生じにくいといった様々な特長を有している。
【００３３】
以上、液晶型表示装置のみについて言及したが、以上の内容は次のような装置に対して一般的にあてはまる。即ち、表示対象フレームの表示指示がなされてから所定期間（例えば、上述したフレーム周期に相当する期間）、画面を構成する各表示素子のうちの少なくとも一部の表示をホールドさせる表示方式が採用されている表示装置が存在する。かかる表示装置を、以下、ホールド型表示装置と称する。このようなホールド型表示装置のうちの、表示素子として液晶が採用されている表示装置が液晶型表示装置であるといえる。よって、上述した内容は、ホールド型表示装置全体にあてはまることになる。
【００３４】
以上の内容をまとめると、インパルス型表示装置は、基本的に発光が短残光であってかつ発光時間が瞬時固定であるという特徴を有している。これに対して、ホールド型表示装置は、基本的に連続発光（ないし表示）であって、フレーム間に暗区間がないという特徴を有している。
【００３５】
ここで、インパルス型表示装置とホールド型表示装置との何れの表示対象ともなり得る映像情報の製作過程を考えてみる。具体的には例えば、動画像を撮影可能なカメラによって撮影されて記録された映像情報について、その製作過程を考えてみる。
【００３６】
このような映像の製作時に使用されるカメラは、例えば図１に示されるように、所定のフレーム周期Tf（例えば1/24Sec）毎に、所定のシャッタ開放時間Tsの間だけシャッタを開放し、そのシャッタ開放時間Tsの期間中レンズを介して取り込まれた映像情報（被写体の光情報）を時間積分し、その時間積分の結果得られる映像情報を、フレーム映像データとして出力して、必要に応じて記録している。
【００３７】
このシャッタ開放時間Tsが、図１に示されるように、フレーム周期Tfよりも短時間である場合には、カメラのシャッタの開放が終了してから、次のフレームを撮影すべくシャッタが再度開放されるまでの時間Tb、即ち、シャッタが閉じている時間Tbが存在する。かかる時間Tbにおいては、カメラには映像情報（光情報）は何等取り込まれない。即ち、シャッタが閉じている時間Tbの期間中に実世界で生じている事象は、そのカメラでは撮影されない。よって、この時間Tbの期間中に実世界で生じている事象についての映像情報はカメラから出力されず、記録されないことになる。
【００３８】
このシャッタ開放時間Tsは、単一の時間長が使用される場合もあるが、多くの場合、離散的な複数の時間長が使い分けられている。即ち、そのシャッタ開放時間Tsたるシャッタ速度としては、その場の実世界の状況や撮影者の意図に基づいて様々な速度が使い分けられている。
【００３９】
例えば図２に示されるように、電車が駅に到着するシーン１と、その電車のドアが開放されて乗客が降車するシーン２とからなる動画像が撮影された場合について考えてみる。
【００４０】
図２の上側図は、カメラの撮影時のタイミングチャートを示している。
【００４１】
なお、所定フレームを他のフレームと識別すべく、各フレームには、フレーム番号n-3乃至n+2がそれぞれ付されているとする。ただし、nは任意の整数値である。
【００４２】
図２の上側図に示されるように、同一シーンでは同一のシャッタ開放時間Tsで撮影が行われているのに対して、別のシーンでは相互に異なるシャッタ開放時間Tsで撮影が行われる場合がある。ここで、説明を容易なものとすべく例えば、シーン１を構成するフレームn-3乃至n-1の各シャッタ開放時間Tsn-3乃至Tsn-1は、同一の1/60secとされているとする。一方、シーン２を構成するフレームn乃至n+2の各シャッタ開放時間Tsn乃至Tsn+2は、同一の1/30secとされているとする。
【００４３】
この場合例えば、カメラによって記録される映像情報のデータ系列（以下、記録データ系列と称する）は、図２の中央図に示されるようになったとする。
【００４４】
この例では、フレーム番号k（kは、n-3乃至n+2のうちの何れかを示す整数値）の記録データは、フレーム番号kのフレーム映像データと、フレーム番号kについてのシャッタ速度データとから構成されている。ここで、シャッタ速度データとは、フレーム毎に付されるメタデータの全部又は一部の情報であって、対応するフレームについてのシャッタ開放時間Tsたるシャッタ速度を特定可能な特定情報をいう。なお、かかるシャッタ速度データは、記録データ系列にとって必須なデータではない。
【００４５】
この場合、かかる記録データ系列に対応する動画像、即ち、図２の上側の図のシーン１とシーン２とを含む動画像が所定の表示装置によって表示される場合、従来においては、図２の下側図に示されるように表示されていた。
【００４６】
図２の下側図に示されるように、フレーム番号kのフレーム（以下、フレームｋと略記する）の表示時間Tikは何れも、フレーム周期Tfと同一時間で一定とされていた。即ち、表示時間Tikは、シャッタ開放時間Tskが同一の場合でも異なる場合でも何等変わることなく一定時間とされていた。
【００４７】
ここで、フレームkとは、フレーム番号kのフレーム映像データに対応する映像である。フレーム番号kのフレーム映像データとは、フレーム周期Tfの全期間ではなく、その全期間のうちの一部であるシャッタ開放時間Tskの期間にカメラに取り込まれた映像情報（光情報）が時間積分されたものである。即ち、シャッタ開放時間Tskの期間に実世界上で生じた「動き」は、表示装置上では、表示時間Tikの期間で生じた「動き」、即ち、そのシャッタ開放時間Tskとは異なる（本例ではそれよりも長時間の）フレーム周期Tfの期間で生じた「動き」として表示されることになる。
【００４８】
換言すると、もともと異なったシャッタ開放時間Tskの間にカメラに取り込まれた映像情報（光情報）の時間積分として記録された各フレーム映像データを、表示装置側では、それとは異なったフレーム周期Tfを開放時間（期間）とみなし、その開放時間を表示時間Tikとして一律に表示させていたことになる。
【００４９】
この場合、表示装置がインパルス型表示装置である場合には、上述したように、画素単位でみれば、表示時間Tikの期間中発光し続けているわけではなく、ほんの瞬時の間発光するだけである。よって、たとえ表示時間Tikが全フレームで一律であったとしても、フレーム間でシャッタ開放時間Tskが異なるという事実が影響することはほとんどなく、その結果、ユーザの目に映る「動き」もさほど違和感のないものとなる。
【００５０】
これに対して、表示装置がホールド型表示装置である場合には、上述したように、画素単位でみても、その画素（液晶）は、ほぼ表示時間Tikの期間中発光し続けることとなる。即ち、実際に映像情報（光情報）がカメラに取り込まれたシャッタ開放時間Tskよりも明らかに長時間であるフレーム周期Tfが表示時間Tikとなっている場合、ユーザは、この表示時間Tikの期間中表示（発光）し続けている各画素からなるフレームkを視認することになる。このことが、「動き」の視認の過程において不自然さを感じる一因、即ち、上述した問題が発生する一因となっている。
【００５１】
そこで、本発明人は、かかる問題を解決すべく、図３に示されるような手法を発明した。即ち、図３は、本発明が適用される手法の概略を、従来の手法と比較しつつ説明するための図である。このため、図２と図３とでは、上側図と中央図は同一図が採用されている。即ち、表示対象の記録データ系列（図２と図３の中央図参照）は同一とされている。
【００５２】
この場合、図３の下側図に示されるように、フレームkの表示時間Tikを、フレーム周期Tfと同一の固定時間とするのではなく、シャッタ開放時間Tskに対応させた可変時間とし、残りの時間Tmkの期間、即ち、その表示時間Tikの経過後次のフレームk+1の表示までの期間においては、黒ないしは黒に限りなく近い映像、即ち、輝度が限りなく低い暗い映像（以下、暗映像と称する）を表示させる表示制御を行うといった手法が、本発明人により発明された手法の一例である。
【００５３】
例えば図３の例では、フレーム番号ｋのフレーム画像データには、シャッタ速度データが付加されているので、このシャッタ速度データを利用することで、フレームkの表示時間Tikをシャッタ開放時間Tskと同一にすることが容易に実現可能である。
【００５４】
この場合、時間Tmkとは、図３の上側図における時間Tbk、即ち、撮影時におけるカメラのシャッタが閉じている時間Tbkと一致することになる。即ち、カメラのシャッタが閉じているということは、その期間中には映像情報（光情報）がカメラには取り込まれなかったことを意味する。よって、本手法では、時間Tbkの期間中には、暗映像を表示させるようにしているのである。なお、以下、このような暗映像を表示する時間Tmkを、暗区間Tmkと称する。
【００５５】
即ち、図３の例では、表示装置がホールド型表示装置である場合には、画素単位でみると、シーン１に対応する各フレームk(k=n-3乃至n-1)については、実際のシャッタ開放時間Tsk＝1/60とほぼ同一の表示時間Tikの間だけ発光し（ないしは表示し）、実際のシャッタが閉じている時間Tbkとほぼ同一の暗区間Tmkの間は発光しない（ないしは暗表示する）ことになる。
【００５６】
即ち、ユーザは、実際のシャッタ開放時間Tsk＝1/60とほぼ同一の表示時間Tikの期間中表示（発光）し続けている各画素からなるフレームkを見ることになり、その結果、「動き」を視認する過程においても違和感を覚えることがなくなるのである。
【００５７】
ところで、図３の例の記録データ系列においては、各フレームのシャッタ速度データが付加されていたが、実際の記録データ系列の中には、このようなシャッタ開放時間Tskを特定可能な特定情報が付加されていないものも存在する。
【００５８】
このような記録データ系列が表示対象として与えられた場合には、例えば表示装置側で、次のようにして、シャッタ開放時間Tskを推定するようにしてもよい。
【００５９】
即ち、表示装置は、例えば次のステップＳ１乃至Ｓ３の処理を実行することで、シャッタ開放時間Tskを推定するようにしてもよい。
【００６０】
ステップＳ１の処理とは、フレーム間動き検出処理をいう。
【００６１】
即ち、動画像を構成する各フレームを例えば8x8画素程度の微小エリアにそれぞれブロック分割し、２つのフレーム（そのうちの１つは表示対象フレームk）のブロックどうしの類似性を比較することで、フレーム間でブロックの座標が移動しているか否かの検出を行うことによって、ブロック単位での動き量を求める処理が、ステップＳ１のフレーム間動き検出処理の一例である。
【００６２】
ステップＳ２の処理とは、ブレ検出処理をいう。
【００６３】
即ち、例えば表示対象フレームｋ内で特徴のある画素データが一方向に連続している状態、具体的には例えばいわゆる糸を引くような状態であるのか否か検出し、その検出結果に基づいてその画素データの移動量（移動方向と距離）を検出するという処理が、ステップＳ２のブレ検出処理の一例である。
【００６４】
ステップＳ３の処理とは、シャッタ開放時間推定処理をいう。
【００６５】
即ち、ステップＳ１の処理で求められた動き量と、ステップＳ２の処理で検出された移動量とに基づいて、シャッタ開放時間Tskを推定する処理が、ステップＳ３のシャッタ開放時間推定処理の一例である。
【００６６】
さらにまた、近年、カメラによって撮影された映像の記録データ系列のみならず、カメラ撮影に因らないCG(computer graphics)映像の記録データ系列や、デジタルインターミディエイトの製作工程においてモーションブラー機能などにより積極的に時間軸成分を積分するなどして、視覚効果をコントロールした映像の記録データ系列が、表示対象となる場合がある。
【００６７】
かかる場合、表示装置は、上述したステップＳ１乃至Ｓ３の処理等の映像分析処理を実行しても、シャッタ開放時間Tskを推定することが困難となるときもある。
【００６８】
このようなときには、表示装置は、簡易的な処理として、例えば、図４に示されるように、シーンの切り替わりによらず、即ち、シャッタ開放時間Tskによらず、各フレームkの表示時間Tikを半固定時間Ticとする処理を実行してもよい。
【００６９】
ここで、「半固定」と記述した理由は、時間Ticは、表示時には固定時間であるが、その表示の前では可変時間、即ち、ユーザ等が自在に可変設定できるものであることを示すためである。
【００７０】
このように各フレームkの表示時間Tikが半固定時間Ticとなった場合であっても、その結果として半固定時間Tmcの暗区間Tmkが生ずる。このことは、上述したCGやモーションブラー機能等の効果をある程度考慮していることを意味している。よって、ユーザにとっては、一部不整合が起こっていると視認することがあったとしても、総合的な動画像表示性能としては向上していると視認するようになるのである。
【００７１】
なお、各フレームkの表示時間Tikを半固定時間Ticとする手法は、カメラで撮影した自然画についての記録データ系列を表示する場合にも当然ながら採用可能である。この場合も、動画像全体の特徴を総合的に判断し、視覚上自然と感じられる半固定時間Ticをフレームkの表示時間Tikとして設定するとよい。これにより、撮影時においてカメラのシャッタは開放し続けるわけではなく閉じられる期間が存在するという事象を考慮したことになるので、「動き」の視認の過程におけるユーザが感じる違和感を、従来に比較すれば低減させることができるようになる。
【００７２】
さらに以下、本手法について、ホールド型液晶表示装置の画素（液晶等）の表示の視点から、図５と図６を参照しつつさらに説明する。
【００７３】
即ち、図５は、従来のホールド型液晶表示装置の画素（液晶等）の表示のタイミングチャートを示している。これに対して、図６は、本手法が適用されたホールド型液晶表示装置の画素（液晶等）の表示のタイミングチャートを示している。
【００７４】
フレームｋ（図５と図６の例では、k=１乃至4）と記述されているタイミングチャートは、ホールド型液晶表示装置の画素の表示状態（液晶等の発光状態）を示している。時間軸tに対して垂直方向の厚みは、画素の輝度（液晶等の発光レベル）を示しているとする。即ち、フレームｋと記述されているタイミングでは、フレーム番号ｋのフレーム映像データによって指示されたレベル（以下、指示レベルと称する）の輝度で表示していることを示している。ただし、画素を構成する液晶等には応答遅れが存在する。この応答遅れ時間Td（＝パネル応答速度/2）も図５と図６の例では考慮されている。即ち、フレーム切替指令がなされた時点では、液晶等の画素の輝度は指令レベルまで直ちに到達せず、応答遅れ時間Tdが経過した段階ではじめて到達することになる。よって、ユーザがフレームkの表示時間Tikとして視認する実時間は、この応答遅れ時間Tdが減算された時間となる。
【００７５】
この場合、図５から明らかなように、従来のフレームkの表示時間Tik（図５の例ではk=3）は、フレーム周期Tfから応答遅れ時間Tdが減算された時間であり、実際のシャッタ開放時間Tskとは全く無関係に固定時間とされていた。
【００７６】
これに対して、本手法が適用された場合、撮影時におけるシャッタ開放時間Tskが既知または推定可能であるとすると、シャッタ開放時間Tskから応答遅れ時間Tdを減算したた時間を、フレームkの表示時間Tikとすることができるようになる。即ち、図６の上側のタイミングチャート示されるように、スローシャッタ時、例えば、シャッタ開放時間Tskがフレーム周期Tfと同一である場合には、従来と同様に、フレーム周期Tfから応答遅れ時間Tdを減算した時間が、フレームkの表示時間Tikとなる。これに対して、高速シャッタ時、即ち、実際のシャッタ開放時間Tskがフレーム周期Tfよりも短時間である場合には、フレームkの表示時間Tikを、従来よりも短時間とすることができ、即ち、実際のシャッタ開放時間Tskから応答遅れ時間Tdが減算された時間とすることができ、それ以外の時間帯では暗表示とすることができるようになる。
【００７７】
なお、この場合、ユーザが視認する画素の輝度とは、画素の発光レベルだけではなく、その発光時間にも依存する。ユーザ（自然人）もまた、自己の目に瞬時に取り込まれた光量のみによって輝度を視認するのではなく、目に連続して取り込まれてくる光量をある程度時間積分することによって、輝度を視認するからである。
【００７８】
この場合、図６の上側と下側の各タイミングチャートを比較すれば明らかなように、フレームｋの所定画素に対する輝度の指令レベルについては同一レベルである一方、フレームｋの所定画素の表示時間Tikについてはシャッタ開放時間Tskに応じて変化している。よって、高速シャッタ時になるほど、即ちシャッタ開放時間Tskが短時間になるほど、その分だけ、フレームｋの所定画素の表示時間Tikたる発光時間も減少することになる。画素の発光時間の減少はフレームk全体に渡るので、その結果、フレームｋ全体の輝度は低いとユーザは視認してしまう、即ち、ユーザの目にはフレームｋが暗く映ってしまう、という現象が生ずる。
【００７９】
この現象の発生を防止する必要がある場合、換言すると、ユーザの目に映るフレームkの輝度を他のフレームと同一にしたい、即ち、動画像全体の輝度を一定にしたいという要望が存在する場合、例えば、図７に示されるように、フレームｋの所定画素の表示時間Tikに応じて、フレームｋの所定画素に対する輝度の指令レベル（発光レベル）を補正する、という手法を採用すればよい。
【００８０】
換言すると、フレームｋの所定画素に対する輝度の指令レベル（発光レベル）を、フレーム周期Tfに占める表示時間Tikの割合に反比例して可変させる制御を行う、という手法を採用すればよい。ユーザの目における光量の時間積分量をほぼ一定に保つことができるので、その結果、ユーザにとっては、輝度がほぼ一定に保たれていると視認するようになるからである。
【００８１】
かかる手法については、例えば次のようして具現化できる。即ち、補正前の輝度の指令レベルをLbとして、補正後の輝度の指令レベルをLaと記述すれば、次の式（１）に従って、所定画素の輝度の指令レベル（発光レベル）を補正することが可能なる。
【００８２】
Lb  ＝  La×(Tf/Tik) × min(Tik/Tf)      ・・・（１）
【００８３】
ここで、min(Tik/Tf)とは、Tik/Tfの演算値として取り得る値のうちの最小値を示している。例えば本例では、フレーム周期Tfは固定値である一方、フレームｋの所定画素の表示時間Tikは可変値である。よって、フレームｋの所定画素の表示時間Tikのうちの最短時間を表示時間Tikminと記述すれば、min(Tik/Tf)＝Tikmin/Tfになる。
【００８４】
具体的には例えば、図７の上側図に示されるように、フレームｋの所定画素の表示時間Tikがフレーム周期Tfと一致している場合には、表示時間Tikをaと記述し、フレーム周期Tfをｂと記述すれば、式（１）の(Tf/Tik)の項にb/a＝１を代入すればよいことがわかる。また例えば、図７の下側図に示されるように、フレームｋの所定画素の表示時間Tikがフレーム周期Tfよりも短時間の場合には、表示時間Tikをcと記述し、フレーム周期Tfをdと記述すれば、式（１）の(Tf/Tik)の項にd/cを代入すればよいことがわかる。
【００８５】
以上の本手法が採用された画像処理装置、即ち、本発明が適用される画像処理装置の一構成例が図８に示されている。
【００８６】
図８の例では、画像処理装置１１は、暗映像挿入制御部２１とホールド型表示装置駆動部２２とを含むように構成されている。
【００８７】
画像処理装置１１は、ホールド型表示装置１２の表示を制御する装置である。例えば表示対象の記録データ系列がフレーム単位で入力されてきた場合、入力されてきたフレーム番号kのフレーム映像データを表示対象として、その内容に基づいて、フレームｋを構成する各画素の輝度の指令レベルを含む駆動信号を生成し、ホールド型表示装置１２に提供する。すると、ホールド型表示装置１２は、その駆動信号に従ってフレームｋを表示させる。
【００８８】
この場合、ホールド型表示装置駆動部２２としては、従来のものをそのまま採用してもよい。換言すると、ホールド型表示装置駆動部２２が、暗映像挿入制御部２１の制御を受けない場合には、従来と同様の駆動信号、即ち、フレーム周期Tfの全期間中絶え間なく各画素を表示（発光）させ続ける指令を含む駆動信号を生成し、ホールド型表示装置１２に提供し続けることになる。その結果、ホールド型表示装置１２の表示状態は、従来と同様の表示状態、即ち、図５のタイミングチャートに示される表示状態となる。
【００８９】
これに対して、図８の画像処理装置１１は、暗映像挿入制御部２１を有している。この暗映像挿入制御部２１が、ホールド型表示装置駆動部２２を制御することで、フレーム周期Tfの間のうちの、シャッタ開放時間Tskに対応する時間（図６のフレーム切替指令から暗区間指令までの間の時間）だけ各画素を発光させ（表示させ）、その後の暗区間Tmkでは各画素をほぼ発光させない（暗映像を表示させる）旨の指令を含む駆動信号を生成し、ホールド型表示装置１２に出力する。その結果、ホールド型表示装置１２の表示状態は、図６のタイミングチャートに示される表示状態となる。
【００９０】
また、暗映像挿入制御部２１は、必要に応じて、上述した式（１）による輝度補正の処理を実行することもできる。
【００９１】
なお、暗映像挿入制御部２１による制御が行われた場合の画像処理装置１１の出力信号の形態、即ち、ホールド型表示装置１２の駆動信号の形態は、暗区間Tmkの間にホールド型表示装置１２が暗映像を表示する（発光しない）ことが可能な形態であれば足りる。換言すると、ホールド型表示装置１２の駆動方式に適した駆動信号を画像処理装置１１は出力すればよい。
【００９２】
具体的には例えば、ホールド型表示装置１２がいわゆるDC（direct current）レベル駆動を採用している場合、画像処理装置１１は、図９に示される形態の信号を駆動信号としてホールド型表示装置１２に出力すればよい。図９の両図において、横軸は時間軸を示しており、縦軸は画素の輝度の指令レベル（電圧レベル）を示している。この場合、輝度の指令レベル（電圧レベル）が０となっている区間Tml，Tmhが暗区間を示している。即ち、区間Tmlが低速シャッタ時（シャッタ開放時間Tskが長時間のとき）の暗区間を示している。一方、区間Tmhが高速シャッタ時（シャッタ開放時間Tskが短時間のとき）の暗区間を示している。
【００９３】
また例えば、ホールド型表示装置１２がいわゆる交流反転を必要とする液晶デバイスにより構成されている場合、画像処理装置１１は、図１０に示される形態の信号を駆動信号としてホールド型表示装置１２に出力すればよい。即ち、図１０の上側の斜線部に示されるように、基準電位に対して対称となるように、画素の輝度の指令レベル（電圧レベル）が反転する形態、即ち、その結果、DC成分の積分値がゼロとなるような形態の駆動信号を、画像処理装置１１はホールド型表示装置１２に出力すればよい。この場合の図１０の両図において、横軸は時間軸を示しており、縦軸は基準電位を基準とした場合の画素の輝度の指令レベル（電圧レベル）を示している。この場合、輝度の指令レベル（電圧レベル）が０となっている区間Tml，Tmhが暗区間を示している。即ち、区間Tmlが低速シャッタ時（シャッタ開放時間Tskが長時間のとき）の暗区間を示している。一方、区間Tmhが高速シャッタ時（シャッタ開放時間Tskが短時間のとき）の暗区間を示している。
【００９４】
また例えば、ホールド型表示装置１２がいわゆるPWM（pulse width modulation）駆動型素子によって構成されている場合、画像処理装置１１は、図１１に示される形態の信号を駆動信号としてホールド型表示装置１２に出力すればよい。図１１の両図において、横軸は時間軸を示している。この場合、各パルスの粗密の諧調によって、輝度の指令レベル（電圧レベル）が可変することになる。よって、パルスの間隔が一定時間以上開いている区間Tml，Tmhが暗区間を示すことになる。即ち、区間Tmlが低速シャッタ時（シャッタ開放時間Tskが長時間のとき）の暗区間を示している。一方、区間Tmhが高速シャッタ時（シャッタ開放時間Tskが短時間のとき）の暗区間を示している。
【００９５】
以上説明したように、本発明が適用される手法とは、記録時のシャッタ開放時間Tsk（フレームを構成する各画素の光量の取込み時間Tsk）に応じて、ホールド型表示装置１２等の表示装置が動画像を表示する際の各フレームの表示時間Tikを可変にするものである。これにより、ユーザは、表示された動画像をより自然に視認できるようになる。
【００９６】
即ち、撮影時のシャッタ開放時間Tskが例えば1/100秒である映像情報は、本来、1/100秒の期間で表示された方が、ユーザにとっては自然な動きとして視認できるはずである。また、このシャッタ開放時間Tskは、1/100秒で固定されているわけではなく、それぞれのシーンに応じて、1/60、 1/100秒、1/250秒など適宜変更される。
【００９７】
しかしながら、従来のホールド型表示装置では、このようなシャッタ開放時間Tskについては一切考慮せずに、フレームkの表示時間Tikは、液晶等の画素の応答遅れを無視すれば、全て一律のフレーム周期Tfと同一時間とされていた。高速シャッタ時などでは、フレーム周期Tfは、撮影時に画像情報（光情報）が取り込まれた時間であるシャッタ開放時間Tskよりも明らかに長い時間となる。よって、従来のホールド型表示装置により表示された動画像を見たユーザにとっては、撮影時に画像情報（光情報）が取り込まれた時間よりも明らかに長い時間をかけて、１つのフレームkを見ることとなり、その結果、動き認識の過程において不自然さを感じていた。
【００９８】
これに対して、本発明が適用される手法によれば、撮影時に画像情報（光情報）が実際に取り込まれた時間、即ち、シャッタ開放時間Tskに応じた時間を、フレームｋの表示時間Tikとしている。よって、ホールド型表示装置により表示された動画像を見たユーザにとっては、撮影時に画像情報（光情報）が取り込まれた時間とほぼ同一の時間で、１つのフレームkを見ることができるようになるので、動き認識の過程において感じていた不自然の度合いを低減させることができるのである。
【００９９】
換言すると、ユーザが動画像を視認する段階で、フレームｋの表示時間Tikが、撮影時に画像情報（光情報）が実際に取り込まれた時間、即ち、シャッタ開放時間Tskに応じた時間となっていればよいことになる。
【０１００】
よって、図１２に示されるように、ホールド型表示装置１２がプロジェクタ等で構成されているような場合には、ホールド型表示装置１２の液晶等の各画素の発光(ないし表示)自体は従来と変化させず、即ち、フレーム周期Tfの期間発光（ないし表示）させることとするが、その代わりに、プロジェクタのレンズの開放時間を回転シャッタ５２等で制御することによって、スクリーン５３に投射されるフレームｋの表示時間Tik、即ち、ユーザが視認するフレームｋの表示時間Tikをシャッタ開放時間Tskに応じた時間にする、といった手法を採用してもよい。
【０１０１】
換言すると、かかる手法を採用すべく、図１２の画像処理装置５１は、ホールド型表示装置駆動部６１と暗区間挿入制御部６２とを含むように構成されている。即ち、画像処理装置５１は、本発明の別の実施形態の画像処理装置である。
【０１０２】
ホールド型表示装置駆動部６１は、図８のホールド型表示装置駆動部２２と基本的に同様の機能と構成を有している。即ち、従来と同様のものをホールド型表示装置駆動部６１として採用してもよい。
【０１０３】
回転シャッタ５２は、例えば図１３の上側の図に示されるように、回転シャッタ５２−１，５２−２といった複数の回転シャッタを重ねて構成することができる。
【０１０４】
この場合、暗区間挿入制御部６２は、回転シャッタ５２−１，５２−２の各回転位相φ１，φ２をそれぞれ制御することで、結果として、映像遮蔽時間を制御し、ひいてはユーザが視認するフレームｋの表示時間Tikとすることができる。この場合の回転数は、例えばフレーム周期Tfに同期させるとよい。
【０１０５】
なお、図１３は、回転シャッタ５２の原理を模式的に示す図である。即ち、表示対象のフレームｋは、実際にはレンズ全体から投射されるが、図１３の下側の２つの図においては、回転シャッタ５２内の右方一部に図示されている。そして、かかる表示対象のフレームｋが回転シャッタ５２により遮蔽される模様が、灰色の扇形によって図示されている。即ち、灰色の扇形の面積が大きくなることが、映像遮蔽時間が長くなることを意味している。
【０１０６】
例えば、回転シャッタ５２−１，５２−２の各回転位相φ１，φ２を同位相とした場合の様子が、図１３の左下側の図に示されている。この場合、回転シャッタ５２−１，５２−２のそれぞれによりフレームｋが遮蔽される時間は同一となる。
【０１０７】
一方、回転シャッタ５２−１，５２−２の各回転位相φ１，φ２を異なる位相とした場合の様子が、図１３の右下側図に示されている。この場合、回転シャッタ５２−１，５２−２のそれぞれによりフレームｋが遮蔽される時間は異なるので、結果として、回転シャッタ５２−１，５２−２の各回転位相φ１，φ２を同位相とした場合と比較して映像遮蔽時間が長くなるのである。
【０１０８】
この映像遮蔽時間が、スクリーン５３に投射されるフレームｋを見ているユーザにとっては、暗区間Tmiに相当する時間となるのである。即ち、暗区間挿入制御部６２が、実際のシャッタ開放時間Tskに基づいて、回転シャッタ５２−１，５２−２の各回転位相φ１，φ２を制御することで、スクリーン５３に投射されるフレームｋを見ているユーザの目に映るフレームｋの表示時間Tikをそのシャッタ開放時間Tskに応じた時間にすることができるのである。
【０１０９】
なお、以上の説明においては、ホールド型表示装置１２の画面を構成する各表示素子（液晶型表示装置の場合には液晶）のそれぞれには、フレームを構成する複数の画素のうちの所定の１つが対応付けられていたが、１つの画素に複数の表示素子が対応付けられていてもよい。即ち、複数の表示素子で１つの画素を表示してもよい。
【０１１０】
また、以上の説明において、本発明が適用される画像処理装置によって表示が制御される表示装置として、ホールド型表示装置１２を採用した理由は、［発明が解決しようとする課題］で上述した問題点を解決できることを明確にするためである。しかしながら、本発明の適用先をホールド型表示装置１２に限定する理由は特に無い。即ち、本発明は、その他各種表示装置、例えばインパルス型表示装置に適用してもよい。
【０１１１】
さらにまた、本発明が適用される画像処理装置は、上述した図８や図１２の構成に限定されず、様々な実施の形態を取ることができる。
【０１１２】
例えば、図８の画像処理装置１１とホールド型表示装置１２とをあわせて１つの画像処理装置とみなしたり、図１２の画像処理装置５１、ホールド型表示装置１２、および回転シャッタ５２を併せて１つの表示部とみなすこともできる。
【０１１３】
換言すると、本発明は、例えば次の機能を有する画像処理素装置に適用可能であり、そのような機能を有していれば、それ以外の要素例えば構成等は特に限定されない。
【０１１４】
即ち、各々のサンプリング時間（上述した例ではカメラのシャッタ開放時間Ts）の間に被写体の映像情報を積分した結果得られる情報を単位画像情報（上述した例ではフレーム映像データ）として、複数の前記単位画像情報から構成される動画像情報に対して画像処理を施す機能を有している画像処理装置に本発明は適用可能である。
【０１１５】
この場合、かかる画像処理装置は、前記動画像情報の表示の制御として、複数の前記単位画像情報のそれぞれについて、所定の周期時間毎に表示を開始させ、その表示時間を前記サンプリング時間に基づいて変更する制御を行う表示制御機能を有しているとよい。
【０１１６】
さらに、かかる画像処理装置の表示制御機能として、制御対象の前記単位画像情報の表示時間に基づいて、その単位画像情報の表示時の輝度を制御する機能を有していると好適である。
【０１１７】
また、上述した一連の処理は、ハードウエアにより実行させることもできるが、ソフトウエアにより実行させることができる。
【０１１８】
この場合、画像処理装置の全部または一部分は、例えば、図１４に示されるようなパーソナルコンピュータにより構成される。
【０１１９】
図１４において、CPU（Central Processing Unit）１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０１２０】
CPU１０１、ROM１０２、およびRAM１０３は、バス１０４を介して相互に接続されている。このバス１０４にはまた、入出力インタフェース１０５も接続されている。
【０１２１】
入出力インタフェース１０５には、キーボード、マウスなどよりなる入力部１０６、ディスプレイなどよりなる出力部１０７、ハードディスクなどより構成される記憶部１０８、モデム、ターミナルアダプタなどより構成される通信部１０９が接続されている。通信部１０９は、インターネットを含むネットワークを介して他の情報処理装置との通信処理を行う。
【０１２２】
なお、この場合、出力部１０７自身が、ホールド型表示装置であってもよいし、或いは、入出力インタフェース１０５に必要に応じて接続される、図示せぬ接続部に、外部のホールド型表示装置が接続されてもよい。
【０１２３】
入出力インタフェース１０５にはまた、必要に応じてドライブ１１０が接続され、磁気ディスク、光ディスク、光磁気ディスク、或いは半導体メモリなどよりなるリムーバブルメディア１１１が適宜装着され、それらから読み出されたコンピュータプログラムが、必要に応じて記憶部１０８にインストールされる。
【０１２４】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１２５】
このようなプログラムを含む記録媒体は、図１４に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア（パッケージメディア）１１１により構成されるだけでなく、装置本体に予め組み込まれた状態でユーザに提供される、プログラムが記録されているROM１０２や、記憶部１０８に含まれるハードディスクなどで構成される。
【０１２６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１２７】
また、本実施の形態の画像処理装置が取り扱う動画像は、上述したように、フレームを単位とすることも可能であるし、フィールドを単位とすることも可能である。そこで、本明細書においては、このような単位を、アクセスユニットとも称する。
【図面の簡単な説明】
【０１２８】
【図１】カメラによる動画像の撮影手法を説明する図である。
【図２】ホールド型表示装置に動画像を表示させる場合における、従来の表示制御の手法の例を示す図である。
【図３】ホールド型表示装置に動画像を表示させる場合における、本発明が適用される表示制御の手法の例を示す図である。
【図４】ホールド型表示装置に動画像を表示させる場合における、本発明が適用される表示制御の手法の例であって、図３とは異なる例を示す図である。
【図５】図２の従来の表示制御の手法の例を、ホールド型表示装置の表示の視点から示した図である。
【図６】図３の本発明が適用される表示制御の手法の例を、ホールド型表示装置の表示の視点から示した示す図である。
【図７】ホールド型表示装置に動画像を表示させる場合における、本発明が適用される表示制御の手法の例であって、図６の例とは異なる例を示す図である。
【図８】本発明が適用される画像処理装置の機能的構成例を示す機能ブロック図である。
【図９】図８の画像処理装置の出力信号の例を示す図である。
【図１０】図８の画像処理装置の出力信号の例であって、図９とは異なる例を示す図である。
【図１１】図８の画像処理装置の出力信号の例であって、図９や図１０とは異なる例を示す図である。
【図１２】本発明が適用される画像処理装置の機能的構成例であって、図８とは異なる例を示す機能ブロック図である。
【図１３】図１２の画像処理装置の動作例を説明する図である。
【図１４】本発明をソフトウエアで実現する場合のそのソフトウエアを実行するハードウエア資源としてのコンピュータの構成例を示すブロック図である。
【符号の説明】
【０１２９】
１１  画像処理装置，  １２  ホールド型表示装置，  ２１  暗映像挿入制御部，  ２２  ホールド型表示装置駆動部，  ５１  画像処理装置，  ５２  回転シャッタ，  ５３  スクリーン，  ６１  ホールド型表示装置駆動部，  ６２  暗区間挿入制御部，  １０１  CPU，  １０７  出力部，  １１０  ドライブ，  １１１  リムーバブルメディア
【図１】
2008298918.tif 000003
【図２】
2008298918.tif 000004
【図３】
2008298918.tif 000005
【図４】
2008298918.tif 000006
【図５】
2008298918.tif 000007
【図６】
2008298918.tif 000008
【図７】
2008298918.tif 000009
【図８】
2008298918.tif 000010
【図９】
2008298918.tif 000011
【図１０】
2008298918.tif 000012
【図１１】
2008298918.tif 000013
【図１２】
2008298918.tif 000014
【図１３】
2008298918.tif 000015
【図１４】
2008298918.tif 000016